(57)【要約】      （修正有） 【課題】調味料等の液体を溢してしまった際にも清掃が容易で且つ物品を収納しうる抽斗を備えた炬燵用天板を提供する。【解決手段】抽斗部１３を備えた炬燵用天板１０であって、炬燵用天板本体１４は、炬燵本体部１１の上面に載置された場合に、炬燵本体部１１側に位置する下面板部１５と、下面板部１５に立設する側面板部１６と、側面板部１６の上端部１７に下面板部１５と平行となるように固定される上面板部１８とを備えており、上面板部１８と下面板部１５との間には抽斗空隙部が形成され、抽斗部１３は、炬燵用天板本体１４の側方より抽斗空隙部に収納可能に形成されており、上面板部１８は、抽斗部１３を収納状態に移動した場合に、側面視において抽斗部１３及び下面板部１５よりも外方に突出するように形成された突出部２０を備えている。【選択図】図１
0003201845.tif 000002
【実用新案登録請求の範囲】
【請求項１】
櫓状に形成された炬燵本体部の上面に載置され、物品を収納しうる抽斗部を備えた炬燵用天板であって、炬燵用天板本体は、前記炬燵本体部の上面に載置された場合に、炬燵本体部側に位置する下面板部と、前記下面板部に立設する側面板部と、前記側面板部の上端部に前記下面板部と平行となるように固定される上面板部と、を備えており、前記上面板部と下面板部との間には抽斗空隙部が形成され、前記抽斗部は、前記炬燵用天板本体の側方より前記抽斗空隙部に収納可能に形成されており、前記上面板部は、前記抽斗部を収納状態に移動した場合に、側面視において前記抽斗部及び前記下面板部よりも外方に突出するように形成された突出部を備えていることを特徴とする炬燵用天板。
【請求項２】
前記炬燵用天板本体は、平面視略方形状に形成されていると共に、前記抽斗部は、前記炬燵用天板本体の４つの側面より夫々、前記抽斗空隙部に収納可能に設けられており、前記抽斗部は、底部と前記底部の周縁より立設される側面部とから構成され全体略立方体形状に形成されており、前記抽斗部の内方には物品を収納しうる収納空隙部を備えることを特徴とする請求項１記載の炬燵用天板。
【請求項３】
前記炬燵用天板本体は、平面視略長方形状に形成されており、前記抽斗部のうち、前記炬燵用天板本体の長辺側側面に設けられた長辺側抽斗部の前記収納空隙部は、ノートパソコンが収納可能な大きさに形成されていることを特徴とする請求項２記載の炬燵用天板。
【請求項４】
前記収納空隙部は、前記収納空隙部の高さ寸法よりもわずかに小さい高さ寸法に形成された仕切板部により複数に区画されて形成されていることを特徴とする請求項２記載の炬燵用天板。
【請求項５】
前記炬燵用天板本体は、木材により形成されており、前記上面板部に形成された前記突出部の端縁部は、角のないアール状に形成されており、前記抽斗部には収納状態において利用者が把持することが可能な取手部が設けられており、前記取手部は、前記抽斗部の側面部に凹形状に形成されていることを特徴とする請求項２記載の炬燵用天板。
【考案の詳細な説明】
【技術分野】
【０００１】
本考案は物品を収納しうる抽斗を備えた炬燵用の天板に関する。
【背景技術】
【０００２】
一般に炬燵は、電熱具を備えた櫓状の本体部を炬燵用布団で覆い、さらに天板を載置して利用される。冬場は、電熱具に通電して布団内部が暖めて利用する一方、夏場は布団を取外して本体部と天板のみでテーブルとして利用することができる。
【０００３】
前述のように炬燵は季節を問わずに利用することができるため、多くの家庭に普及している。しかしながら、例えばテレビのリモコンやノートパソコンなどを利用する際には、一度炬燵を離れて収納場所に取りに行かなければならないという煩わしさがあった。
【０００４】
そこで、物品を収納することができる抽斗を備えた炬燵用の天板が特許文献１及び特許文献２により提案されている。特許文献１及び特許文献２の炬燵用天板は、抽斗にテレビのリモコンやメガネ等を収納しておくことができるため、利用する際には、炬燵を離れずに直ぐに取り出すことができ、冬場は寒い室内を歩かなくても良い。
【０００５】
しかしながら、炬燵は居間に設置されることが多く食事を摂るために利用されることから、例えば醤油等の調味料を溢してしまった際には、抽斗の周辺に付着してしまう恐れがあった。
【０００６】
そこで、本考案者は特許調査を実施したところ、特許文献３を発見した。特許文献３は、抽斗の前端部外面が炬燵板の外側面よりもわずかに内側に位置するように構成され、例えば醤油を溢してしまった際にも、抽斗内が汚れてしまうことがない。
【０００７】
一方で、溢してしまった醤油が、下側のこたつ板に垂れてしまい、下側のこたつ板と抽斗との間に入り込んでしまうという事態を防ぐことはできなかった。
このような事態が発生すると抽斗を取外して内部を洗浄する必要があり、作業の手間が掛かってしまうため、このような事態を防止しうる炬燵の天板が要請されていた。
【特許文献１】公開特許第２００５−２１８８３７号公報
【特許文献２】公開特許第２００１−３２１２２６号公報
【特許文献３】公開実用新案第昭６０−７７９０９号公報
【考案の開示】
【考案が解決しようとする課題】
【０００８】
そこで、本考案は、このような従来の要請に基づくものであって、調味料等の液体を溢してしまった際にも清掃が容易で且つ物品を収納しうる抽斗を備えた炬燵用天板を提供することを課題とする。
【課題を解決するための手段】
【０００９】
前記課題を解決するために、請求項１に記載の炬燵用天板にあっては、櫓状に形成された炬燵本体部の上面に載置され、物品を収納しうる抽斗部を備えた炬燵用天板であって、炬燵用天板本体は、前記炬燵本体部の上面に載置された場合に、炬燵本体部側に位置する下面板部と、前記下面板部に立設する側面板部と、前記側面板部の上端部に前記下面板部と平行となるように固定される上面板部と、を備えており、前記上面板部と下面板部との間には抽斗空隙部が形成され、前記抽斗部は、前記炬燵用天板本体の側方より前記抽斗空隙部に収納可能に形成されており、前記上面板部は、前記抽斗部を収納状態に移動した場合に、側面視において前記抽斗部及び前記下面板部よりも外方に突出するように形成された突出部を備えていることを特徴とする。
【００１０】
従って、請求項１に記載の炬燵用天板は、抽斗部を備えていることから、抽斗部を引き出して物品を入れ、収納位置に移動することにより物品を収納しておくことができる。
【００１１】
また、食事や調味料等が載置される上面板部は、抽斗部を収納状態に移動した場合に、側面視において抽斗部及び下面板部よりも外方に突出するように形成された突出部を備えていることから、抽斗部を収納状態に移動した状態においては、上面板部の上面において溢してしまった液体物は、突出部から鉛直方向に滴下して抽斗部や下面板部に付着することはない。
【００１２】
請求項２に記載の炬燵用天板にあっては、前記炬燵用天板本体は、平面視略方形状に形成されていると共に、前記抽斗部は、前記炬燵用天板本体の４つの側面より夫々、前記抽斗空隙部に収納可能に設けられており、前記抽斗部は、底部と前記底部の周縁より立設される側面部とから構成され全体略立方体形状に形成されており、前記抽斗部の内方には物品を収納しうる収納空隙部を備えることを特徴とする。
【００１３】
従って、請求項２に記載の炬燵用天板は、抽斗部は、炬燵用天板本体の４つの側面より夫々、抽斗空隙部に収納可能に設けられていることから、４方向から自在に抽斗部を出し入れして収納することができる。
【００１４】
請求項３に記載の炬燵用天板にあっては、前記炬燵用天板本体は、平面視略長方形状に形成されており、前記抽斗部のうち、前記炬燵用天板本体の長辺側側面に設けられた長辺側抽斗部の前記収納空隙部は、ノートパソコンが収納可能な大きさに形成されていることを特徴とする。
【００１５】
請求項４に記載の炬燵用天板にあっては、前記収納空隙部は、前記抽斗空隙部の高さ寸法よりもわずかに小さい高さ寸法に形成された仕切板部により複数に区画されて形成されていることを特徴とする。
【００１６】
従って、請求項４に記載の炬燵用天板は、収納空隙部は、仕切板部により複数に区画されて形成されていることから、収納空隙部の容積よりも小さい容積の物品を多数収納する際にも個別に収納することができる。
【００１７】
請求項５に記載の炬燵用天板にあっては、前記炬燵用天板本体は、木材により形成されており、前記上面板部に形成された前記突出部の端縁部は、角のないアール状に形成されており、前記抽斗部には収納状態において利用者が把持することが可能な取手部が設けられており、前記取手部は、前記抽斗部の側面部に凹形状に形成されていることを特徴とする。
【考案の効果】
【００１８】
請求項１に記載の炬燵用天板にあっては、抽斗部に物品を収納しておくことができるため、テレビのリモコン等の利用者が良く利用する物品を予め収納しておくことができ、炬燵を離れて取りに行く手間がなくなる。
【００１９】
また、抽斗部を収納状態に移動した状態においては、上面板部の上面において溢してしまった液体物は、突出部から鉛直方向に滴下して抽斗部や下面板部に付着することはないことから、例えば布団のみを洗濯すればよく清掃が容易である。
【００２０】
請求項２に記載の炬燵用天板にあっては、４方向から自在に抽斗部を出し入れして収納することができることから、４人掛けして利用する際にも各人の収納を備えることができ、各々利用する物品を収納しておくことができる。
【００２１】
請求項３に記載の炬燵用天板にあっては、炬燵用天板本体の長辺側側面に設けられた長辺側抽斗部の収納空隙部には、ノートパソコンを収納しておくことができるため、ノートパソコンを即座に取り出して利用することができる。
【００２２】
請求項４に記載の炬燵用天板にあっては、収納空隙部の容積よりも小さい容積の物品を多数収納する際にも個別に収納することができることから、整理整頓が容易で、収納した物品の取出しが容易である。
【００２３】
請求項５に記載の炬燵用天板にあっては、上面板部に形成された突出部の端縁部は、角のないアール状に形成されているため、突出部に接触して怪我をすることもなく安全である。
【００２４】
また、抽斗部には収納状態において利用者が把持することが可能な凹形状に形成された取手部が設けられていることから、利用者は取手部を把持して容易に抽斗部を操作でき、凹形状に形成されているため触れて怪我をすることもなく安全である。
【図面の簡単な説明】
【００２５】
【図１】図１は、本考案に係る炬燵用天板の一実施の形態を示し、炬燵本体部に上面に炬燵用布団を介して載置された状態を示す側面図である。
【図２】図２は、本考案に係る炬燵用天板の一実施の形態を示し、（ａ）は抽斗を収納状態に位置させた状態、（ｂ）は抽斗を引き出した状態を夫々示した側面概念図である。
【図３】図３は、本考案に係る炬燵用天板の一実施の形態を示し、抽斗を引き出した状態を示した平面図である。
【図４】図４は、本考案に係る炬燵用天板の一実施の形態を示し、図３における短辺側抽斗部のＩＶ―ＩＶ断面図である。
【考案を実施するための最良の形態】
【００２６】
以下、本考案に係る炬燵用天板を実施の形態に基づき、図面を参照して詳細に説明する。
【００２７】
図１に示すように、本実施の形態に係る炬燵用天板１０は、櫓状に形成された炬燵本体部１１の上面に炬燵用布団１２を介して載置され、物品を収納しうる抽斗部１３を備えている。
【００２８】
図１に示すように、炬燵用天板本体１４は、炬燵用布団１２を介して炬燵本体部１１の上面に載置された場合に、炬燵本体部１１側に位置する下面板部１５と、下面板部１５に立設する側面板部１６と、側面板部１６の上端部１７に下面板部１５と平行となるように固定される上面板部１８とを備えている。本実施の形態においては、炬燵用天板本体１４は木材により形成されている。
【００２９】
図２（ｂ）に示すように、炬燵用天板本体１４は、上面板部１８と下面板部１５との間には抽斗空隙部１９が形成され、抽斗部１３は、炬燵用天板本体１４の側方より抽斗空隙部１９に収納可能に形成されている。
【００３０】
図２（ａ）に示すように、上面板部１８は、抽斗部１３を収納状態に移動した場合に、側面視において抽斗部１３及び下面板部１５よりも外方に突出するように形成された突出部２０を備えている。本実施の形態においては、上面板部１８に形成された突出部２０の端縁部２６は、角のないアール状に形成されている。
【００３１】
図３に示すように、炬燵用天板本体１４は、平面視略長方形状に形成されていると共に、抽斗部１３は、炬燵用天板本体１４の４つの側面より夫々、抽斗空隙部１９に収納可能に設けられている。
【００３２】
本実施の形態においては、抽斗部１３は、炬燵用天板本体１４の長辺側側面より引き出し可能に設けられた短辺側抽斗部１３ａ，１３ａと、炬燵用天板本体１４の短辺側側面より引き出し可能に設けられ、２つずつ並列して設けられて短辺側抽斗部１３ｂ，１３ｂ，１３ｂ，１３ｂとから構成されている。
【００３３】
図２（ａ）及び（ｂ）に示すように、抽斗部１３は、底部２１と底部２１の周縁２２より立設される側面部２３とから構成され全体略立方体形状に形成されており、抽斗部１３の内方には物品を収納しうる収納空隙部２４を備えている。
【００３４】
本実施の形態においては、長辺側抽斗部１３ａは、引き出し方向視において横長立方体形状に形成されると共に、短辺側抽斗部１３ｂは、縦長立方体形状に夫々形成されている。
【００３５】
図２（ａ）に示すように、長辺側抽斗部１３ａ及び短辺側抽斗部１３ｂは夫々、最大まで押し込んだ収納状態位置において、引き出し前面側の側面部２３ａと下面板部１５の端面２５とが互いに同一平面上に位置するように形成されている。突出部２０は、上面板部１８の四方から外方に向って夫々設けられている。
【００３６】
図３に示すように、抽斗空隙部１９は、炬燵用天板本体１４の幅方向中央を長さ方向に沿って設けられ、長辺側側面より引き出し可能に設けられた長辺側抽斗部１３ａ，１３ａ同士、短辺側側面より引き出し可能に設けられた短辺側抽斗部１３ｂ，１３ｂ同士を夫々区画する長さ方向仕切部３０を備えている。
【００３７】
また、抽斗空隙部１９は、長辺側抽斗部１３ａ，１３ａの両側面部において炬燵用天板本体１４の幅方向に沿って平行に設けられ、長辺側抽斗部１３ａと短辺側抽斗部１３ｂとを区画する一対の幅方向仕切部３１，３１を備えている。
【００３８】
図３に示すように、抽斗部１３，１３．．のうち、炬燵用天板本体１４の長辺側側面に設けられた長辺側抽斗部１３ａ，１３ａの収納空隙部２４ａは、ノートパソコン２７が収納可能な大きさに形成されている。
【００３９】
図３に示すように、炬燵用天板本体１４の短辺側側面に設けられた短辺側抽斗部１３ｂ，１３ｂ，１３ｂ，１３ｂの収納空隙部２４ｂ，２４ｂ．．は、収納空隙部２４ｂの高さ寸法よりもわずかに小さい高さ寸法に形成された仕切板部２８，２８．．が幅方向に沿って設けられることにより引き出し動作方向の前後に区画されて形成されている。
【００４０】
図４に示すように、抽斗部１３には収納状態において利用者が把持することが可能な取手部３３が設けられており、取手部３３は、抽斗部１３の引き出し方向側の側面部２３ａに夫々凹形状に形成されている。本実施の形態においては、取手部３３は、断面略コの字状に彫り込まれることにより形成されている。
【００４１】
以下、本実施の形態に係る炬燵用天板１０の作用について、図面を参照して詳細に説明する。
【００４２】
本実施の形態に係る炬燵用天板１０は、以上のように構成されていることから、取手部３３を把持して、図２（ｂ）に示すように抽斗部１３を引き出して、収納空隙部２４にノートパソコン２７等の物品を入れ、図２（ａ）に示すように抽斗部１３を最大まで押し込むことによって収納状態位置に移動させて物品を収納しておくことができる。
【００４３】
図３に示すように、抽斗部１３は、炬燵用天板本体１４の４つの側面に設けられていることから、夫々の側面に１人ずつ、４人で腰かけた場合にも各人の収納が確保される。
【００４４】
また、図２（ａ）に示すように、食事や調味料等が載置される上面板部１８は、抽斗部１３を収納状態に移動した場合に、側面視において抽斗部１３及び下面板部１５よりも外方に突出するように形成された突出部２０を４方向全てに備えていることから、抽斗部１３を収納状態に移動した状態においては、上面板部１８の上面において溢してしまった液体物は、突出部２０から鉛直方向に滴下して抽斗部１３や下面板部１５に付着することはなく清掃が容易であり、例えば炬燵用布団１２だけを洗濯すれば良い。
【００４５】
図３に示すように、収納空隙部２４は、仕切板部２８により前後に２つに区画されて形成されていることから、例えばテレビのリモコンや筆記具のように収納空隙部２４の容積よりも小さい容積の物品を多数収納する際にも収納空隙部２４ｂ，２４ｂに整理して個別に収納することができる。
【００４６】
図２（ａ）に示すように、突出部２０の端縁部２６は断面がアール状に形成されていることから、角部がある場合と比べて、身体が接触してしまった場合の怪我を抑制することができる。
【００４７】
前記実施の形態においては、炬燵用天板本体１４は、平面視略長方形状に形成されている例を説明したがこれに限定されることはなく、正方形状のものであっても良く、正方形状のものであれば一般に数多く普及しているため、既存の炬燵用天板の代替としての適用範囲を広げることができる。
【産業上の利用可能性】
【００４８】
本考案に係る炬燵用天板は各家庭で広く利用されうるため産業上利用可能性を有している。
【符号の説明】
【００４９】
１０    炬燵用天板
１１    炬燵本体部
１２    炬燵用布団
１３    抽斗部
１４    炬燵用天板本体
１５    下面板部
１６    側面板部
１７    上端部
１８    上面板部
１９    抽斗空隙部
２０    突出部
２１    底部
２２    周縁
２３    側面部
２４    収納空隙部
２５    端面
２６    端縁部
２７    ノートパソコン
２８    仕切板部
３０    長さ方向仕切部
３１    幅方向仕切部
３３    取手部
【図１】
0003201845.tif 000003
【図２】
0003201845.tif 000004
【図３】
0003201845.tif 000005
【図４】
0003201845.tif 000006